(57)【要約】      （修正有）【課題】誤操作を低減することができる画像形成装置、制御プログラムおよび制御方法を提供する。【解決手段】画像形成装置は、ＣＰＵを含み、タッチパネル２０付きのディスプレイ２２を備える。ディスプレイには、コピー設定画面１００が表示され、コピー設定画面で、白黒専用の機能について設定が変更された場合には、カラースタートキー１１０が非表示され、カラー専用の機能について設定が変更された場合には、白黒スタートキー１０８が非表示される。【選択図】図４
2019166723.tif 000002
【特許請求の範囲】
【請求項１】
第１の動作および当該第１の動作とは異なる第２の動作を実行可能な画像形成装置であって、
前記第１の動作を実行させる第１操作ボタンおよび前記第２の動作を実行させる第２操作ボタンを含む操作パネルを表示する表示手段、
前記第１の動作のみに関する第１設定を変更する変更手段、および
前記変更手段によって前記第１設定を変更されたとき、前記第２操作ボタンの表示態様を変化させる、画像形成装置。
【請求項２】
前記態様変化手段は、前記変更手段によって前記第１設定を変更されたとき、前記第２操作ボタンの表示態様を前記第２の動作を実行操作不能な態様に変化させる、請求項１記載の画像形成装置。
【請求項３】
前記態様変化手段は、前記変更手段によって前記第１設定を変更されたとき、前記第２操作ボタンの表示態様を操作不能な態様に変化させる、請求項１記載の画像形成装置。
【請求項４】
前記態様変化手段は、前記変更手段によって前記第１設定を変更されたとき、前記第２操作ボタンの表示態様を非表示に変化させる、請求項１から３までのいずれかに記載の画像形成装置。
【請求項５】
前記表示手段は、前記変更手段によって前記第１設定を変更されたとき、当該第１設定の内容を前記操作パネルに表示する、請求項１から４までのいずれかに記載の画像形成装置。
【請求項６】
前記態様変化手段は、前記変更手段によって前記第１設定を変更されたとき、前記第１操作ボタンの大きさを前記第２操作ボタンの大きさよりも大きくさせる、請求項１から５までのいずれかに記載の画像形成装置。
【請求項７】
所定の操作に応じて、前記変更手段によって変更された前記第１設定を解除する解除手段をさらに備え、
前記態様変化手段は、前記解除手段によって前記第１設定の変更が解除されたとき、変化させた前記第２操作ボタンの表示態様を元に戻す、請求項１から６までのいずれかに記載の画像形成装置。
【請求項８】
第１の動作および当該第１の動作とは異なる第２の動作を実行可能であり、前記第１の動作を実行させる第１操作ボタンおよび前記第２の動作を実行させる第２操作ボタンを含む操作パネルを表示する表示手段を備える制御装置の制御プログラムであって、
前記制御装置のプロセッサに、
前記第１の動作のみに関する第１設定を変更する変更ステップ、および
前記変更ステップにおいて前記第１設定を変更したとき、前記第２操作ボタンの表示態様を変化させる態様変化ステップを実行させる、制御プログラム。
【請求項９】
第１の動作および当該第１の動作とは異なる第２の動作を実行可能であり、前記第１の動作を実行させる第１操作ボタンおよび前記第２の動作を実行させる第２操作ボタンを含む操作パネルを表示する表示手段を備える制御装置の制御方法であって、
（ａ）前記第１の動作のみに関する第１設定を変更するステップ、および
（ｂ）前記ステップ（ａ）において前記第１設定を変更したとき、前記第２操作ボタンの表示態様を変化させるステップを含む、制御方法。
【発明の詳細な説明】
【技術分野】
【０００１】
この発明は、画像形成装置、制御プログラムおよび制御方法に関し、特にたとえば、モノクロ画像およびカラー画像を選択的に印刷できる、画像形成装置、制御プログラムおよび制御方法に関する。
【背景技術】
【０００２】
この種の背景技術の一例が特許文献１に開示される。背景技術の機能実行装置では、デフォルト待機画面においてコピーボタンがタップされると、コピー機能における機能実行画面に切り替わる。この機能実行画面には、コピー枚数を設定するための枚数設定ボタン、コピーに関する各種設定値を設定変更するための設定変更ボタン、モノクロコピーを開始させるためのモノクロスタートボタン、及びカラーコピーをスタートさせるためのカラースタートボタンが表示される。設定変更ボタンがタップされると、設定変更画面に切り替わり、さらに、一つの設定項目がタップされると、タップされた設定項目の設定値を設定するための画面に切り替わる。設定項目について設定変更され、ＯＫボタンがタップされると、機能実行画面に戻る。
【先行技術文献】
【特許文献】
【０００３】
【特許文献１】特開２０１５−２２８０８７号公報
【発明の概要】
【発明が解決しようとする課題】
【０００４】
しかしながら、背景技術の機能実行装置では、設定変更された内容に拘わらず、コピー機能における機能実行画面では、モノクロスタートボタンおよびカラースタートボタンが操作可能に表示され、表示態様が変化されることもない。したがって、モノクロに限定された設定項目が設定変更された場合には、カラースタートボタンが操作されることがある。逆に、カラーに限定された設定項目が設定変更された場合には、モノクロボタンが操作されることがある。つまり、操作を誤る可能性があった。
【０００５】
それゆえに、この発明の主たる目的は、新規な、画像形成装置、制御プログラムおよび制御方法を提供することである。
【０００６】
この発明の他の目的は、誤操作を低減することができる、画像形成装置、制御プログラムおよび制御方法を提供することである。
【課題を解決するための手段】
【０００７】
第１の発明は、第１の動作および当該第１の動作とは異なる第２の動作を実行可能な画像形成装置であって、表示手段、変更手段、および態様変化手段を備える。表示手段は、第１の動作を実行させる第１操作ボタンおよび第２の動作を実行させる第２操作ボタンを含む操作パネルを表示する。変更手段は、第１の動作のみに関する第１設定を変更する。態様変化手段は、第１変更手段によって第１設定を変更されたとき、第２操作ボタンの表示態様を変化させる。
【０００８】
第２の発明は、第１の発明に従属し、態様変化手段は、変更手段によって第１設定を変更されたとき、第２操作ボタンの表示態様を第２の動作を実行不能な態様に変化させる。
【０００９】
第３の発明は、第１の発明に従属し、態様変化手段は、変更手段によって第１設定を変更されたとき、第２操作ボタンの表示態様を操作不能な態様に変化させる。
【００１０】
第４の発明は、第１から第３の発明までのいずれかに従属し、態様変化手段は、変更手段によって第１設定を変更されたとき、第２操作ボタンの表示態様を非表示に変化させる。
【００１１】
第５の発明は、第１から第４の発明までのいずれかに従属し、表示手段は、変更手段によって第１設定を変更されたとき、当該第１設定の内容を操作パネルに表示する。
【００１２】
第６の発明は、第１から第５の発明までのいずれかに従属し、態様変化手段は、変更手段によって第１設定を変更されたとき、第１操作ボタンの大きさを第２操作ボタンの大きさよりも大きくさせる。
【００１３】
第７の発明は、第１から第６の発明までのいずれかに従属し、所定の操作に応じて、変更手段によって変更された第１設定を解除する解除手段をさらに備え、態様変化手段は、解除手段によって第１設定の変更が解除されたとき、変化させた第２操作ボタンの表示態様を元に戻す。
【００１４】
第８の発明は、第１の動作および当該第１の動作とは異なる第２の動作を実行可能であり、第１の動作を実行させる第１操作ボタンおよび第２の動作を実行させる第２操作ボタンを含む操作パネルを表示する表示手段を備える制御装置の制御プログラムであって、制御装置のプロセッサに、第１の動作のみに関する第１設定を変更する変更ステップ、および変更ステップにおいて第１設定を変更したとき、第２操作ボタンの表示態様を変化させる、制御プログラムである。
【００１５】
第９の発明は、第１の動作および当該第１の動作とは異なる第２の動作を実行可能であり、第１の動作を実行させる第１操作ボタンおよび第２の動作を実行させる第２操作ボタンを含む操作パネルを表示する表示手段を備える制御装置の制御方法であって、（ａ）第１の動作のみに関する第１設定を変更するステップ、および（ｂ）ステップ（ａ）において第１設定を変更したとき、第２操作ボタンの表示態様を変化させるステップを含む、制御方法である。
【発明の効果】
【００１６】
この発明によれば、誤操作を低減することができる。
【００１７】
この発明の上述の目的，その他の目的，特徴および利点は、図面を参照して行う以下の実施例の詳細な説明から一層明らかとなろう。
【図面の簡単な説明】
【００１８】
【図１】図１はこの発明の一実施例である画像形成装置の外観構成を示す斜視図である。
【図２】図２は図１に示す画像形成装置の電気的な構成を示すブロック図である。
【図３】図３はコピー設定画面の第１の例を示す図である。
【図４】図４はコピー設定画面の第２の例を示す図である。
【図５】図５はコピー設定画面の第３の例を示す図である。
【図６】図６はコピー設定画面の第４の例を示す図である。
【図７】図７は図２に示すＲＡＭのメモリマップの一例を示す図である。
【図８】図８は図２に示すＣＰＵのコピー機能の処理の一例の一部を示すフロー図である。
【図９】図９は図２に示すＣＰＵのコピー機能の処理の他の一部であって、図８に後続するフロー図である。
【図１０】図１０は図２に示すＣＰＵのコピー機能の処理のその他の一部であって、図８および図９に後続するフロー図である。
【図１１】図１１はコピー設定画面の第５の例を示す図である。
【図１２】図１２はコピー設定画面の第６の例を示す図である。
【図１３】図１３はコピー設定画面の第７の例を示す図である。
【図１４】図１４はコピー設定画面の第８の例を示す図である。
【図１５】図１５はコピー設定画面の第９の例を示す図である。
【発明を実施するための形態】
【００１９】
［第１実施例］
図１はこの発明の一実施例である画像形成装置１０の外観構成を示す斜視図である。図１を参照して、第１実施例では、画像形成装置１０は、複写機能、プリンタ機能、スキャナ機能およびファクシミリ機能などを有する複合機（ＭＦＰ：Multifunction Peripheral）である。なお、この発明は複合機だけでなく、少なくとも複写機（コピー機）を備える他の画像形成装置に適用可能である。
【００２０】
なお、この明細書では、ユーザの立ち位置に対向する面、つまり後述する操作パネル２６が設けられる側の面を前面（正面）として画像形成装置１０およびその構成部材の前後方向（奥行方向）を規定し、画像形成装置１０およびその構成部材の左右方向（横方向）は、ユーザから画像形成装置１０を見た状態を基準として規定する。
【００２１】
画像形成装置１０は、画像読取部３０、画像形成部３２、手差し給紙部３４、給紙装置３８および排紙トレイ４０を含む装置本体３６を備える。
【００２２】
画像読取部３０は、透明材によって形成される原稿載置台を備え、装置本体３６に内蔵される。原稿載置台の上方には、ヒンジ等を介して原稿押えカバー３０ａが開閉自在に取り付けられる。この原稿押えカバー３０ａには、手差し給紙部３４が設けられる。また、原稿押えカバー３０ａには、手差し給紙部３４に載置された原稿を自動的に給紙するＡＤＦ（自動原稿送り装置）が設けられる。
【００２３】
また、画像読取部３０は、光源、複数のミラー、結像レンズおよびラインセンサ等を備える。この画像読取部３０は、原稿表面を光源によって露光し、原稿表面から反射した反射光を複数のミラーによって結像レンズに導く。そして、結像レンズによって反射光をラインセンサの受光素子に結像させる。ラインセンサでは、受光素子に結像した反射光の輝度または色度が検出され、原稿表面の画像に基づく読取画像データが生成される。ラインセンサとしては、ＣＣＤ（Charge Coupled Device）またはＣＩＳ（Contact Image Sensor）等が用いられる。
【００２４】
画像形成部３２は、装置本体３６に内蔵され、画像読取部３０の下方に設けられる。この画像形成部３２は、感光体ドラム、帯電装置、露光装置、現像装置、転写装置および定着装置などを備える。画像形成部３２は、手差し給紙部３４または給紙装置３８等から搬送される記録媒体（用紙）上に電子写真方式によって画像を形成し、画像形成済みの用紙を排紙トレイ４０に排出する。ただし、用紙上に画像を形成するための出力画像データとしては、画像読取部３０で読み取った読取画像データ、または外部コンピュータから送信された画像データ等が利用される。また、記録媒体としては、紙からなる用紙に限定されず、ＯＨＰフィルムなどの紙以外のシートも用いられる。
【００２５】
なお、詳細な説明は省略するが、画像形成装置１０は、カラーのプリント機能を備えており、画像形成部３２は、Ｙ（イエロー）、Ｍ（マゼンタ）、Ｃ（シアン）、Ｋ（ブラック）の各色について、４つの感光体ドラムと、４つの帯電装置と、４つの現像装置と、４つの中間転写ローラと、４つのクリーニング装置などを備える。また、色毎に、感光体ドラムと、帯電装置と、現像装置と、転写ローラと、クリーニング装置を含む画像形成ステーションが構成される。画像形成装置１０は、タンデム式の画像形成装置であって、画像形成部３２において、色毎の画像形成ステーションが一列に並んで配置される。
【００２６】
排紙トレイ４０は、画像読取部３０および画像形成部３２の間に設けられる。排紙トレイ４０の底面は、画像形成部３２によって区画される。また、排紙トレイ４０の天面は、画像読取部３０によって区画される。さらに、排紙トレイ４０の左側面（正面から見た左側面）は、連結筐体４２の右側面で規定される。つまり、排紙トレイ４０の前面側、背面側および左側面側は、開口する。排紙トレイ４０の底面は、連結筐体４２側に向かって下り勾配となる傾斜面を有する。
【００２７】
また、画像読取部３０の前面側には、操作パネル２６が設けられる。操作パネル２６は、タッチパネル２０付きのディスプレイ２２および複数の操作ボタン２６ａを含む。
【００２８】
タッチパネル２０付きのディスプレイ２２には、各種設定または印刷指示などをユーザから受け付けるためのソフトウェアキーおよびメッセージ等が表示される。一例として、ディスプレイ２２には、画像形成装置１０が実行可能な各種のジョブ（または機能）から所望のジョブを選択するための画面であるホーム画面および各ジョブの動作条件を設定するための設定画面などの操作画面が表示される。ただし、この第１実施例では、ジョブは、コピー（原稿のスキャンを含む）ジョブ、印刷ジョブおよびファックスの送信ジョブなどを意味する。
【００２９】
操作ボタン２６ａは、ハードウェアキーであって、たとえば、ホームキー、省電力キーおよび主電源キーなどが含まれる。ホームキーは、ホーム画面をディスプレイ２２に表示させるためのキーである。ただし、ホームが画面は、ジョブを選択するための画面である。電力キーは、消費電力が制限される省電力状態（以下、「省電力モード」という）と、消費電力が制限されない通常状態（以下、「通常モード」という）とを切り替えるためのキーである。
【００３０】
なお、ソフトウェアキーとは、たとえばタッチパネル２０付きのディスプレイ２２の表示面にソフトウェア的に再現されたキーまたはアイコンのことを言う。これに対して、ハードウェアキーとは、物理的な装置として設けられたキーまたは押しボタンのことを言う。
【００３１】
図２は図１に示す画像形成装置１０の電気的な構成を示すブロック図である。図２を参照して、画像形成装置１０はＣＰＵ１２を含む。ＣＰＵ１２は、バス６０を介してＲＡＭ１４、ＨＤＤ２８、タッチパネル制御回路１６、表示制御回路１８、操作ボタン検出回路２４、画像読取部３０、画像形成部３２および通信回路５０に接続される。また、タッチパネル制御回路１６はタッチパネル２０に接続され、表示制御回路１８はディスプレイ２２に接続され、操作ボタン検出回路２４は操作ボタン２６ａに接続される。
【００３２】
ＣＰＵ１２は、画像形成装置１０の全体的な制御を司る。ＲＡＭ１４は、ＣＰＵ１２のワーク領域およびバッファ領域として用いられる。ＨＤＤ２８は、画像形成装置１０の主記憶装置であって、ＣＰＵ１２が画像形成装置１０の各部位の動作を制御するための制御プログラムおよび各種の画面についての表示画像データ等を適宜記憶する。ただし、ＨＤＤ２８に代えて、またはＨＤＤ２８とともに、ＳＳＤ、フラッシュメモリ、ＥＥＰＲＯＭなどの他の不揮発性メモリが用いられてもよい。
【００３３】
タッチパネル制御回路１６は、タッチパネル２０に必要な電圧などを付与するとともに、タッチパネル２０のタッチ有効範囲内でのタッチ操作またはタッチ入力を検出して、そのタッチ入力の位置を示すタッチ座標データをＣＰＵ１２に出力する。
【００３４】
タッチパネル２０は、汎用のタッチパネルであり、静電容量方式、電磁誘導方式、抵抗膜方式、赤外線方式など、任意の方式のものを用いることができる。この第１実施例では、タッチパネル２０としては、静電容量方式のタッチパネルが用いられ、ディスプレイ２２の表示面上にタッチパネル２０が設けられる。ただし、タッチパネル２０とディスプレイ２２とが一体的に形成されたタッチパネルディスプレイが用いられてもよい。
【００３５】
表示制御回路１８は、ＧＰＵおよびＶＲＡＭなどを含んでおり、ＣＰＵ１２の指示の下、ＧＰＵは、ＲＡＭ１４に記憶された画像生成データ７４ｂ（図７参照）を用いてディスプレイ２２に種々の画面を表示するための表示画像データをＶＲＡＭに生成し、生成した表示画像データをディスプレイ２２に出力する。ディスプレイ２２としては、たとえばＬＣＤまたはＥＬ（Electro-Luminescence）ディスプレイなどを用いることができる。
【００３６】
操作ボタン検出回路２４は、上述した操作ボタン２６ａの操作に応じた操作信号ないし操作データをＣＰＵ１２に出力する。
【００３７】
通信回路５０は、インターネットなどのネットワークに接続するための通信回路である。この通信回路５０は、有線通信回路または無線通信回路であり、ＣＰＵ１２からの指示に従って、ネットワークを介して、サーバ等の外部コンピュータと通信する。
【００３８】
なお、図２に示す画像形成装置１０の電気的な構成は単なる一例であり、これに限定される必要はない。たとえば、ＳＤカードまたはＵＳＢメモリなどの各種の記録媒体を装着可能なメモリスロットなどの接続部を備えても良い。
【００３９】
以下、図３〜図６を参照して、コピー設定画面１００および画像形成装置１０の動作例を説明する。図３はコピー設定画面１００の第１の例を示す図である。図４はコピー設定画面１００の第２の例を示す図である。図５はコピー設定画面１００の第３の例を示す図である。図６はコピー設定画面１００の第４の例を示す図である。
【００４０】
画像形成装置１０の電源がオンされた場合、画像形成装置１０が省電力モードから通常モードに設定された場合、または、ホームキーが操作された場合に、ホーム画面がディスプレイ２２に表示される。ホーム画面において、ユーザが所望のジョブを選択すると、選択されたジョブについての動作条件を設定するための設定画面がディスプレイ２２に表示される。
【００４１】
たとえば、ホーム画面でコピージョブが選択されると、コピージョブの処理が開始され、図３に示すようなコピー設定画面１００がディスプレイ２２に表示される。このコピー設定画面１００は、コピージョブの動作条件を設定するための画面である。なお、図３では、各種キー等が選択されていない基本状態のコピー設定画面１００を示している。つまり、基本状態では、各設定はデフォルトの状態である。
【００４２】
コピー設定画面１００には、機能選択キー１０２、他の機能選択キー１０４、テンキー１０６、白黒用のスタートキー１０８、カラー用のスタートキー１１０およびリセットキー１１２などのソフトウェアキーが設けられる（表示される）。
【００４３】
機能選択キー１０２は、コピー設定画面１００の左端に表示される。機能選択キー１０２は、複数設けられ、上下方向に並んで配置される。複数の機能選択キー１０２の各々は、コピージョブの主要な動作条件または主要な機能に対応する。具体的には、コピー設定画面１００には、カラー設定、原稿の向き、用紙選択、両面コピー、倍率、コピー濃度およびページ集約の各々についての詳細設定を行うための機能選択キー１０２が表示される。また、コピー設定画面１００には、上述した主要な機能以外の機能（他の機能）の各々についての詳細設定を行うためのその他の機能選択キー１０４が表示される。
【００４４】
テンキー１０６は、数字キーであり、コピー設定画面１００の中央に表示される部数設定領域１２０内に設けられる。テンキー１０６がタッチされると、タッチされた数字がテンキー１０６の上方のテンキー入力表示欄に表示される。つまり、部数が設定される。
【００４５】
白黒用のスタートキー（以下、「白黒スタートキー」という）１０８およびカラー用のスタートキー（以下、「カラースタートキー」という）１１０は、コピー設定画面１００の右下のコーナ領域に表示されている。この白黒スタートキー１０８およびカラースタートキー１１０は、画像形成装置１０に所定の動作を開始させるためのキーである。白黒スタートキー１０８がタッチされると、白黒コピー（第１の動作）が開始される。また、カラースタートキー１１０がタッチ（選択）されると、カラー設定に応じてカラーコピー（第２の動作）が開始される。
【００４６】
白黒コピーが開始（実行）されると、ＣＰＵ１２は画像読取部３０に原稿の読取指示を与える。また、ＣＰＵ１２は、画像読取部３０で読み取られた原稿に対応する読取画像データから各種の設定が反映された白黒の出力画像データを生成し、画像形成部３２に対して、出力画像データに従う白黒の画像形成処理を実行させる。
【００４７】
また、カラーコピーが開始（実行）されると、ＣＰＵ１２は画像読取部３０に原稿の読取指示を与える。また、ＣＰＵ１２は、画像読取部３０で読み取られた原稿に対応する読取画像データから各種の設定が反映されたカラーの出力画像データを生成し、画像形成部３２に対して、出力画像データに従うカラーの画像形成処理を実行させる。
【００４８】
なお、読取画像データから各種の設定が反映された白黒またはカラーの出力画像データを生成する処理、および、出力画像データに従う白黒またはカラーの画像形成処理は既に周知であり、本願発明の本質的な内容とは異なるため、これらの詳細な説明については省略することにする。
【００４９】
また、白黒コピーが実行された場合には、原稿がカラーであっても、出力画像は白黒である。また、カラーコピーが実行された場合であっても、原稿が白黒であれば、白黒の画像形成処理が実行され、出力画像は白黒である。
【００５０】
リセットキー１１２は、カラースタートキー１１０の上方であり、コピー設定画面１００の右端に表示される。リセットキー１１２は、画像形成装置１０が実行中の所定の動作を中止または初期化させるためのキーである。たとえば、リセットキー１１２がタッチされると、実行中のジョブが中断または中止される。また、リセットキー１１２がタッチされると、コピー設定画面１００で設定されたコピージョブの動作条件（各種の機能を含む）の設定が初期化され、デフォルトの状態にされる。
【００５１】
上述したように、他の機能選択キー１０４がタッチされると、図４に示すように、その他の機能を選択するためのウインドウまたは画面（以下、「機能選択ウインドウ」という）１３０が機能選択キー１０２および他の機能選択キー１０４の前面に表示されたコピー設定画面１００がディスプレイ２２に表示される。つまり、機能選択ウインドウ１３０は、ポップアップでディスプレイ２２に表示され、図４に示すように、白黒スタートキー１０８、カラースタートキー１１０およびリセットキー１１２に重ならない大きさおよび位置に表示される。
【００５２】
機能選択ウインドウ１３０は、他の機能の各々についての詳細設定を行うための画面（ウインドウ）であり、複数の機能選択キー１３２およびＯＫキー１３４が設けられる。ただし、他の機能とは、機能選択キー１０２で設定可能な機能とは異なる機能を意味する。言い換えると、他の機能は、コピージョブに含まれる主要な機能以外の機能である。
【００５３】
複数の機能選択キー１３２は、それぞれ、ソフトウェアキーであり、複数の機能の各々に対応して設けられ、機能選択ウインドウ１３０の表示範囲内において上下左右方向に並んで配置される。
【００５４】
第１実施例では、他の機能選択ウインドウ１３０に表示される複数の機能選択キー１３２は同じ図柄で示してあるが、白黒専用の機能または／およびカラー専用の機能の機能選択キー１３２については、他の機能選択キー１３２と識別可能に表示してもよい。たとえば、色分けしたり、白黒専用の機能またはカラー専用の機能であることが分かる文字、印または画像を機能選択キー１３２に付加したりすることができる。
【００５５】
ＯＫキー１３４は、ソフトウェアキーであり、各種機能の詳細設定が変更された場合に、当該詳細設定が変更された状態を適用または確定させる機能が割り当てられる。また、ＯＫキー１３４がタッチされると、機能選択ウインドウ１３０が閉じられて（非表示にされて）、図３に示したようなコピー設定画面１００がディスプレイ２２に表示される。
【００５６】
なお、機能選択ウインドウ１３０がディスプレイ２２に表示されている間は、機能選択キー１３２またはＯＫキー１３４をタッチする以外の操作については受け付けない。ただし、機能選択ウインドウ１３０は、白黒スタートキー１０８、カラースタートキー１１０およびリセットキー１１２に重ならないため、これらのキー操作を受け付けるようにしてもよい。
【００５７】
ただし、第１実施例では、機能選択ウインドウ１３０で、白黒専用の機能についての設定が変更された場合には、機能選択ウインドウ１３０が閉じられると、図５に示すような白黒用のコピー設定画面１００ａがディスプレイ２２に表示される。
【００５８】
具体的には、図５に示すように、白黒用のコピー設定画面１００ａは、基本状態のコピー設定画面１００からカラースタートキー１１０を消去した画面である。つまり、白黒用のコピー設定画面１００ａでは、カラースタートキー１１０が表示されない（非表示にされる）ため、カラーコピーの実行を指示することができない。つまり、カラースタートキー１１０は操作不能である。この場合、カラーコピー機能が実行不能にされる。
【００５９】
また、機能選択ウインドウ１３０でカラー専用の機能についての設定が変更された場合には、機能選択ウインドウ１３０が閉じられると、図６に示すようなカラー用のコピー設定画面１００ｂがディスプレイ２２に表示される。
【００６０】
具体的には、図６に示すように、カラー用のコピー設定画面１００ｂは、基本状態のコピー設定画面１００から白黒スタートキー１０８を消去した画面である。つまり、カラー用のコピー設定画面１００ｂでは、白黒スタートキー１０８が表示されないため、白黒コピーの実行を指示することができない。つまり、白黒スタートキー１０８は操作不能である。この場合、白黒コピー機能が実行不能にされる。
【００６１】
ただし、カラーコピーの実行が指示された場合であっても、原稿が白黒である場合には、白黒コピー機能が実行される。
【００６２】
白黒専用の機能は、白黒反転およびグレー変換の各機能である。白黒反転の機能では、画像において、黒が白に変換され、白が黒に変換される。グレー変換の機能では、カラー画像がグレースケールの白黒画像（モノクロ画像）に変換され、変換される際に、任意の色について細かい調整が可能である。
【００６３】
一方、カラー専用の機能は、簡易画質調整、ＲＧＢの調整、明度の調整および彩度の調整の各機能である。簡易画質調整の機能では、画像の色味と濃淡が調整され、具体的には、画像において、輪郭がくっきりされたり、滑らかにされたりする。ＲＧＢの調整機能では、画像において、選択した色（Ｒ、ＧまたはＢ）の色味が調整される。明度の調整機能では、画像全体の明度が調整される。彩度の調整機能では、画像全体の彩度が調整される。
【００６４】
このように、第１実施例では、白黒専用の機能の設定またはカラー専用の機能の設定が変更された場合には、カラースタートキー１１０または白黒スタートキー１０８を非表示することにより、変更された設定が反映されない印刷処理が実行されるのを回避するようにしてある。つまり、誤操作が低減される。
【００６５】
また、変更された白黒専用の機能の設定および変更されたカラー専用の機能の設定は、所定の操作によって解除することができる。つまり、デフォルトの状態に戻すことができる。
【００６６】
一例として、所定の操作は、非表示されたカラースタートキー１１０または非表示された白黒スタートキー１０８が基本状態のコピー設定画面１００で表示されていた領域または範囲（以下、「空白の領域」という）をタッチする操作である。
【００６７】
また、他の例では、所定の操作は、白黒用のコピー設定画面１００ａまたはカラー用のコピー設定画面１００ｂのうち、上記の空白の領域を含むすべての空白の領域においてタッチする操作である。つまり、所定の操作は、背景をタッチする操作である。
【００６８】
なお、所定の操作には、リセットキー１１２がタッチされる操作、および、他の機能選択キー１０４がタッチされ、機能選択ウインドウ１３０で変更した設定が元に戻される操作も含まれる。
【００６９】
また、図示は省略するが、機能選択ウインドウ１３０で白黒専用の機能またはカラー専用機能の機能選択キー１３２が操作されると、機能選択ウインドウ１３０の背景色が変化されるようにしてもよい。たとえば、白黒専用の機能またはカラー専用の機能が選択される前では、機能選択ウインドウ１３０の背景色は青色であり、白黒専用の機能の機能選択キー１３２が操作されると、機能選択ウインドウ１３０の背景色は白色、灰色または黒色に変化され、カラー専用の機能の機能選択キー１３２が操作されると、機能選択ウインドウ１３０の背景色が三原色または虹色に変化される。背景色を三原色または虹色で表示する場合には、色毎の帯を並べることにより縦縞または横縞の模様で表示される。
【００７０】
また、図示は省略するが、白黒専用の機能またはカラー専用の機能の機能選択キー１３２が操作された場合には、他方の機能すなわちカラー専用の機能または白黒専用の機能の機能選択キー１３２を操作不能に設定するようにしてもよい。この場合、たとえば、他方の機能の機能選択キー１３２がグレーアウトで表示されたり、非表示されたりする。このことは、上記の背景色の変化に代えて、または、上記の背景色の変化とともに採用されてよい。
【００７１】
図７は図２に示したＲＡＭ１４のメモリマップ７０の一例を示す図である。図７に示すように、ＲＡＭ１４は、プログラム記憶領域７２およびデータ記憶領域７４を含む。ＲＡＭ１４のプログラム記憶領域７２には、画像形成装置１０を制御するための制御プログラムが記憶される。制御プログラムは、メイン処理プログラム７２ａ、操作検出プログラム７２ｂ、画像生成プログラム７２ｃ、画像表示プログラム７２ｄ、機能設定プログラム７２ｅ、画像読取プログラム７２ｆおよび画像形成プログラム７２ｇを含む。
【００７２】
メイン処理プログラム７２ａは、画像形成装置１０の全体的な処理を実行するためのプログラムである。操作検出プログラム７２ｂは、画像形成装置１０の各部への操作を検出するためのプログラムである。たとえば、操作検出プログラム７２ｂは、タッチパネル２０から出力されたタッチ座標データを取得して、ディスプレイ２２に表示される各種の画面に含まれるソフトウェアキーが操作されたことを検出するためのプログラムである。また、操作検出プログラム７２ｂは、操作ボタン２６ａからの操作入力を検出するためのプログラムでもある。
【００７３】
画像生成プログラム７２ｃは、ＧＰＵを制御して、後述する画像生成データ７４ｂを用いて、コピー設定画面１００、１００ａ、１００ｂなどの各種の画面に対応する表示画像データを生成するためのプログラムである。また、画像表示プログラム７２ｄは、画像生成プログラム７２ｃに従って生成された表示画像データをディスプレイ２２に出力するためのプログラムである。
【００７４】
機能設定プログラム７２ｅは、各ジョブにおいて、ユーザの操作に従って各機能の設定を変更するまたは元に（デフォルトの状態に）戻すためのプログラムである。
【００７５】
画像読取プログラム７２ｆは、画像読取部３０を制御して、ＡＤＦによって搬送される原稿の画像または原稿載置台に載置された原稿の画像を読み取り（スキャンし）、読み取った画像に対応する画像信号すなわち読取画像データを出力するためのプログラムである。
【００７６】
画像形成プログラム７２ｇは、画像形成部３２を制御して、後述する出力画像データ７４ｅなどの画像データに応じて多色または単色の画像を記録媒体（用紙）に形成するためのプログラムである。詳細な説明は省略するが、画像形成処理が実行されるときに、入力画像データ７４ｄに画像処理が施され、出力画像データ７４ｅが生成される。
【００７７】
なお、図示は省略するが、プログラム記憶領域７２には、画像形成装置１０が備える各種の機能を実行するための他のプログラムが記憶される。
【００７８】
また、ＲＡＭ１４のデータ記憶領域７４には、操作入力データ７４ａ、画像生成データ７４ｂ、機能設定データ７４ｃ、入力画像データ７４ｄおよび出力画像データ７４ｅなどのデータが記憶される。
【００７９】
操作入力データ７４ａは、操作検出プログラム７２ｂに従って検出（取得）したタッチ座標データまたは／および操作データであり、時系列に従ってデータ記憶領域７４に記憶される。
【００８０】
画像生成データ７４ｂは、表示画像データを生成するためのポリゴンデータまたはテクスチャデータ等のデータである。また、画像生成データ７４ｂには、ソフトウェアキーの画像データ等も含まれる。
【００８１】
機能設定データ７４ｃは、各ジョブにおいて、各種の機能の設定を示すデータである。初期状態では、各種の機能の設定は、デフォルトの状態であり、ユーザによって変更されることがある。
【００８２】
入力画像データ７４ｄは、画像読取部３０で読み取った読取画像データ、または外部コンピュータから送信された画像データ等の画像データである。
【００８３】
出力画像データ７４ｅは、入力画像データ７４ｄに基づいて生成された印刷用の画像データであり、機能設定データ７４ｃに従う設定の内容が反映される。
【００８４】
なお、図示は省略するが、データ記憶領域７４には、制御プログラムの実行に必要な他のデータが記憶されたり、制御プログラムの実行に必要なタイマ（カウンタ）およびレジスタが設けられたりする。
【００８５】
図８〜図１０は図２に示すＣＰＵ１２のコピージョブの処理の一例を示すフロー図である。このコピージョブの処理は、ホーム画面でコピージョブが選択されたときに開始される。
【００８６】
図８に示すように、ＣＰＵ１２は、コピージョブの処理を開始すると、ステップＳ１で、基本状態のコピー設定画面１００をディスプレイ２２に表示する。次のステップＳ３では、ユーザの操作が有るかどうかを判断する。ここでは、ＣＰＵ１２は、現在の操作入力データ７４ａがデータ記憶領域に記憶されているかどうかを判断する。
【００８７】
なお、図示および詳細な説明は省略するが、操作入力データ７４ａを検出し、検出した操作入力データ７４ａをデータ記憶領域７４に記憶する処理は、コピージョブの処理を並行して実行される。
【００８８】
ステップＳ３で“ＮＯ”であれば、つまり、ユーザの操作が無ければ、ステップＳ１に戻る。一方、ステップＳ３で“ＹＥＳ”であれば、つまり、ユーザの操作が有れば、ステップＳ５で、他の機能設定かどうかを判断する。ここでは、ＣＰＵ１２は、タッチ座標データに基づいて、他の機能選択キー１０４がタッチされたかどうかを判断する。以下、ソフトウェアキーが操作されたかどうかを判断する場合について同様である。
【００８９】
ステップＳ５“ＹＥＳ”であれば、つまり、他の機能の設定であれば、ステップＳ７で、機能選択ウインドウ１３０を表示する。つまり、ステップＳ７の処理が実行されることにより、図４に示したような、機能選択ウインドウ１３０を含むコピー設定画面１００がディスプレイ２２に表示される。
【００９０】
次のステップＳ９では、他の機能の設定が変更されたかどうかを判断する。ステップＳ９では、ＣＰＵ１２は、他の機能についての詳細設定が変更され、ＯＫキー１３４が操作されたかどうかを判断する。ただし、他の機能についての詳細設定は、所望の機能に対応する機能選択キー１３２をタッチすることにより表示される画面（ウインドウ）において行われる。
【００９１】
ステップＳ９で“ＮＯ”であれば、つまり、他の機能の設定が変更されていなければ、ステップＳ７に戻る。一方、ステップＳ９で“ＹＥＳ”であれば、つまり、他の機能の設定が変更されれば、ステップＳ１１で、設定内容を保存して、図９に示すステップＳ１９に進む。つまり、ステップＳ１１では、機能設定データ７４ｃが、変更された内容を含む機能設定データ７４ｃに更新される。
【００９２】
なお、詳細設定が変更されずにＯＫキー１３４が操作された場合には、ステップＳ１１の処理が実行されても、機能設定データ７４ｃが示す設定内容は変化されない。
【００９３】
また、ステップＳ５で“ＮＯ”であれば、つまり、他の機能の設定でなければ、ステップＳ１３で、白黒スタートキー１０８が操作されかどうかを判断する。ステップＳ１３で“ＹＥＳ”であれば、つまり、白黒スタートキー１０８が操作されていれば、図９に示すステップＳ２７に進む。一方、ステップＳ１３で“ＮＯ”であれば、つまり、白黒スタートキー１０８が操作されていなければ、ステップＳ１５で、カラースタートキー１１０が操作されたかどうかを判断する。
【００９４】
ステップＳ１５で“ＹＥＳ”であれば、つまり、カラースタートキー１１０が操作されていれば、図１０に示すステップＳ４３に進む。一方、ステップＳ１５で“ＮＯ”であれば、つまり、カラースタートキー１１０が操作されていなければ、ステップＳ１７で、その他の処理を実行して、コピージョブの処理を終了する。ステップＳ１７では、テンキー１０６等がタッチされることに応じて設定される部数の設定処理が実行されたり、機能選択キー１０２等がタッチされることに応じて、カラー設定、原稿の向き、用紙選択、両面コピー、倍率、コピー濃度またはページ集約の処理が実行されたり、リセットキー１１２がタッチされることに応じてコピー設定画面１００で設定されたコピージョブの動作条件の設定が初期化される処理が実行されたり、他の機能の設定のうち、白黒専用の機能の設定またはカラー専用の機能の設定を変更またはリセットする処理が実行されたりする。
【００９５】
図９に示すように、ステップＳ１９では、設定が変更された機能が白黒専用の機能であるかどうかを判断する。ステップＳ１９で“ＮＯ”であれば、つまり、白黒専用の機能でなければ、図１０に示すステップＳ３５に進む。一方、ステップＳ１９で“ＹＥＳ”であれば、つまり、白黒専用の機能であれば、ステップＳ２１で、図５に示したような白黒用のコピー設定画面１００ａをディスプレイ２２に表示する。
【００９６】
続いて、ステップＳ２３では、白黒専用の機能の設定についての変更が解除されたかどうかを判断する。白黒専用の機能の設定についての変更を解除する方法は、上述したとおりであり、詳細な処理の図示および説明は省略する。このことは後述するカラー専用の機能の設定についての変更を解除する方法についても同じである。
【００９７】
ステップＳ２３で“ＹＥＳ”であれば、つまり、白黒専用の機能の設定についての変更が解除された場合には、ステップＳ１に戻る。したがって、初期状態のコピー設定画面１００がディスプレイ２２に表示される。一方、ステップＳ２３で“ＮＯ”であれば、つまり、白黒専用の機能の設定についての変更が解除されていない場合には、ステップＳ２５で、白黒スタートキー１０８が操作されたかどうかを判断する。
【００９８】
ステップＳ２５で“ＮＯ”であれば、つまり、白黒スタートキー１０８が操作されていなければ、ステップＳ２１に戻る。一方、ステップＳ２５で“ＹＥＳ”であれば、つまり、白黒スタートキー１０８が操作されれば、ステップＳ２７で、原稿の読取処理を実行し、読取画像データを入力画像データ７４ｄとしてデータ記憶領域７４に記憶する。
【００９９】
次のステップＳ２９では、入力画像データ７４ｄから、白黒専用の機能の設定についての変更内容が反映された出力画像データ７４ｅを生成し、ステップＳ３１で、白黒の画像形成処理を実行する。
【０１００】
そして、ステップＳ３３では、コピージョブの終了かどうかを判断する。ここでは、ＣＰＵ１２は、すべての原稿について設定された部数のコピーを行ったかどうか判断する。ステップＳ３３で“ＮＯ”であれば、つまり、コピージョブの終了でなければ、ステップＳ２７に戻る。一方、ステップＳ３３で“ＹＥＳ”であれば、つまり、コピージョブの終了であれば、コピージョブの処理を終了する。
【０１０１】
なお、ステップＳ２７〜Ｓ３３では、複数枚の原稿が１枚ずつコピーされるように説明してあるが、実際には、読取処理が開始されると、出力画像の生成処理および画像形成処理は読取処理と並行して実行される。このことは、後述するステップＳ４３〜Ｓ４９についても同じである。
【０１０２】
次に図１０を参照して、カラーの場合について説明するが、図９を用いて説明した白黒の場合と同様の内容については簡単に説明することにする。
【０１０３】
上述したように、ステップＳ１９で“ＮＯ”であれば、図１０に示すステップＳ３５で、設定が変更された機能がカラー専用の機能かどうかを判断する。ステップＳ３５で“ＮＯ”であれば、つまり、カラー専用の機能でなければ、図８に示したステップＳ１７に進む。一方、ステップＳ３５で“ＹＥＳ”であれば、つまり、カラー専用の機能であれば、ステップＳ３７で、図６に示したようなカラー用のコピー設定画面１００ｂをディスプレイ２２に表示する。
【０１０４】
続いて、ステップＳ３９では、カラー専用の機能の設定についての変更が解除されたかどうかを判断する。ステップＳ３９で“ＹＥＳ”であれば、つまり、カラー専用の機能の設定についての変更が解除された場合には、ステップＳ１に戻る。一方、ステップＳ３９で“ＮＯ”であれば、つまり、カラー専用の機能の設定についての変更が解除されていない場合には、ステップＳ４１で、カラースタートキー１１０が操作されたかどうかを判断する。
【０１０５】
ステップＳ４１で“ＮＯ”であれば、つまり、カラースタートキー１１０が操作されていなければ、ステップＳ３７に戻る。一方、ステップＳ４１で“ＹＥＳ”であれば、つまり、カラースタートキー１１０が操作されれば、ステップＳ４３で、原稿の読取処理を実行し、読取画像データを入力画像データ７４ｄとしてデータ記憶領域７４に記憶する。
【０１０６】
次のステップＳ４５では、入力画像データ７４ｄから、カラー専用の機能の設定についての変更内容が反映された出力画像データ７４ｅを生成し、ステップＳ４７で、カラーの画像形成処理を実行する。
【０１０７】
そして、ステップＳ４９では、コピージョブの終了かどうかを判断する。ステップＳ４９で“ＮＯ”であれば、つまり、コピージョブの終了でなければ、ステップＳ４３に戻る。一方、ステップＳ４９で“ＹＥＳ”であれば、つまり、コピージョブの終了であれば、コピージョブの処理を終了する。
【０１０８】
第１実施例によれば、コピー設定画面１００において、白黒専用の機能の設定が変更された場合には、カラースタートキー１１０を消去し、カラー専用の機能の設定が変更された場合には、白黒スタートキー１０８を消去するので、白黒専用またはカラー専用の機能の設定が変更された場合には、変更された内容が反映されていないコピー処理が実行されるのを未然に回避することができる。つまり、誤操作を低減することができる。
【０１０９】
また、第１実施例によれば、空白領域をタッチすることにより、変更された設定を解除することができるので、解除の操作が簡単である。つまり、操作性を向上することができる。
【０１１０】
なお、第１実施例では、コピー設定画面１００において、白黒専用の機能の設定が変更された場合には、カラースタートキー１１０を消去し、カラー専用の機能の設定が変更された場合には、白黒スタートキー１０８を消去するようにしたが、これに限定される必要はない。
【０１１１】
たとえば、カラースタートキー１１０が消去された場合には、白黒スタートキー１０８の大きさを大きくし、白黒スタートキー１０８が消去された場合には、カラースタートキー１１０を大きくしてもよい。
【０１１２】
また、白黒スタートキー１０８またはカラースタートキー１１０を消去することに代えて、キーの図柄の明度を低減して表示、キーの図柄を色反転させて表示またはキーの図柄をグレーアウトで表示するように、図柄の表示方法を変えてもよい。図１１はカラー用のコピー設定画面１００ｂの他の例を示す図である。図１１に示すカラー用のコピー設定画面１００ｂでは、カラー専用の機能の設定が変更されたことに応じて、白黒スタートキー１０８の図柄の明度が低減される。ただし、図１１では、キーの図柄に斜線を付すことにより、図柄の明度が低減されていることを示してある。
【０１１３】
なお、図示は省略するが、カラー専用の機能の設定が変更された場合には、それに応じて、カラースタートキー１１０の図柄の明度が低減される。または、カラースタートキー１１０の図柄が色反転される。或いは、カラースタートキー１１０の図柄がグレーアウトで表示される。
【０１１４】
さらに、図柄の表示方法を変えるのみならず、さらに、注意を喚起するメッセージを表示するようにしてもよい。図１２には、カラー用のコピー設定画面１００ｂのその他の例を示す図である。図１２に示すカラー用のコピー設定画面１００ｂでは、図１１に示した場合と同様に、カラー専用の機能の設定が変更されたことに応じて、白黒スタートキー１０８の図柄の明度が低減される。さらに、図１２に示すカラー用のコピー設定画面１００ｂでは、白黒スタートキー１０８がタッチされた場合には、設定が変更されたカラー専用の機能を反映したコピーを実行することができない旨のメッセージが吹き出し１４０で表示される。図１２に示す例では、吹き出し１４０は、白黒スタートキー１０８から吹き出すように表示される。ただし、これは一例であり、上記のような内容のメッセージがリセットキー１１２の上方の空白領域または部数設定領域１２０の下方の領域に表示されてもよい。この場合、メッセージが表示される領域が識別可能に表示されてもよい。一例として、メッセージが表示される枠が表示される。
【０１１５】
なお、図示は省略するが、白黒専用の機能の設定が変更された場合には、白黒用のコピー設定画面１００ａにおいて、カラースタートキー１１０の図柄の明度が低減され、さらに、カラースタートキー１１０がタッチされた場合には、設定が変更された白黒専用の機能を反映したコピーを実行することができない旨のメッセージが吹き出し１４０で表示される。
【０１１６】
さらにまた、図柄の表示方法を変えるのみならず、キーの大きさを相対的に変化させるようにしてもよい。キーの大きさを相対的に変化させる例としては、専用の機能の設定が変更されていない方のキーを小さくしたり、専用の機能の設定が変更された方のキーを大きくしたり、それらの両方を実行したりすることが該当する。さらに、専用の機能の設定が変更されていない方のキーがタッチされても、その操作を受け付けないようにしてもよい。図１３には、白黒用のコピー設定画面１００ａの他の例が示される。図１３に示す白黒用のコピー設定画面１００ａでは、白黒専用の機能の設定が変更されたことに応じて、カラースタートキー１１０の図柄の明度が低減されるとともに、白黒スタートキー１０８の大きさが大きくされ、カラースタートキー１１０の大きさが小さくされる。
【０１１７】
なお、キーの大きさを相対的に変更した場合にも、図示は省略するが、上記のような吹き出し１４０をさらに表示するようにしてもよい。
【０１１８】
また、第１実施例では、変更された白黒専用の機能の設定および変更されたカラー専用の機能の設定は、空白領域をタッチすることにより、デフォルトの状態に戻すようにしてあるが、これに限定される必要はない。空白領域をタッチした場合には、白黒専用の機能の設定またはカラー専用の機能の設定が変更されていることを報知するメッセージがその空白領域またはポップアップ画面で表示されるようにしてもよい。
【０１１９】
［第２実施例］
第２実施例の画像形成装置１０は、白黒専用の機能の設定が変更され、または、カラー専用の機能の設定が変更され、カラースタートキー１１０または白黒スタートキー１０８が消去された場合に、コピー設定画面（１００ａまたは１００ｂ）の空白の領域に、設定が変更された機能を表示するようにした以外は、第１実施例と同じであるため、重複した説明は省略する。
【０１２０】
図１４は白黒用のコピー設定画面１００ａの他の例を示す図であり、図１５はカラー用のコピー設定画面１００ｂの他の例を示す図である。
【０１２１】
白黒反転の機能によって、白黒反転印刷することが設定された場合には、図１４に示すような白黒用のコピー設定画面１００ａがディスプレイ２２に表示される。この場合、白黒専用の機能の設定が変更されるため、カラースタートキー１１０が非表示される。このカラースタートキー１１０が非表示された空白領域に「白黒反転」の文字が表示される。
【０１２２】
また、ＲＧＢの調整機能によって、Ｒ、ＧまたはＢの色味の設定が変更された場合には、図１５に示すようなカラー用のコピー設定画面１００ｂがディスプレイ２２に表示される。この場合、カラー専用の機能の設定が変更されるため、白黒スタートキー１０８が非表示される。この白黒スタートキー１０８が非表示された空白領域に「ＲＧＢ」の文字が表示される。
【０１２３】
このように、第２実施例では、白黒スタートキー１０８またはカラースタートキー１１０が非表示されることにより空白となった空白領域に、設定が変更された機能を識別可能な文字が表示される。
【０１２４】
ただし、これは一例であり、リセットキー１１２の上方の空白領域または部数設定領域１２０の下方の空白領域のような他の空白領域に、設定が変更された機能を識別可能な文字が表示されてもよい。この場合、設定が変更された機能を識別可能な文字が表示される位置または領域が識別可能に表示されてもよい。一例として、文字が表示される枠が表示される。このように、他の空白領域に設定が変更された機能を識別可能な文字が表示されるようにする場合には、白黒専用の機能の設定またはカラー専用の機能の設定が変更された場合であっても、カラースタートキー１１０または白黒スタートキー１０８を表示したままでもよい。
【０１２５】
この場合、白黒スタートキー１０８またはカラースタートキー１１０が非表示されることにより空白となった空白領域がタッチされることに代えて、設定が変更された機能が識別可能な文字がタッチされた場合に、この機能の設定の変更が解除される。
【０１２６】
具体的なＣＰＵ１２のコピージョブの処理は第１実施例と同様であり、上述したように、生成される白黒用のコピー設定画面１００ａおよびカラー用のコピー設定画面１００ｂの内容と、機能の設定の変更が解除される条件の一部が第１実施例と異なるだけである。
【０１２７】
第２実施例においても、第１実施例と同様に、誤操作を低減することができる。
【０１２８】
また、第２実施例によれば、設定が変更された機能が識別可能な文字で表示されるため、その機能を容易に知ることもできる。
【０１２９】
さらに、第２実施例によれば、設定が変更された機能が識別可能な文字で表示され、この文字をタッチすることで、変更された設定を解除することができるので、解除する場合にタッチするべき位置または領域を認識し易い。
【０１３０】
なお、第２実施例において、カラースタートキー１１０が消去された場合には、第１実施例で説明したように、白黒スタートキー１０８の大きさを大きくし、白黒スタートキー１０８が消去された場合には、カラースタートキー１１０を大きくしてもよい。
【０１３１】
また、第２実施例において、リセットキー１１２の上方の空白領域または部数設定領域１２０の下方の空白領域のような他の空白領域に、設定が変更された機能を識別可能な文字が表示されるようにする場合には、第１実施例で説明したように、白黒スタートキー１０８またはカラースタートキー１１０を消去することに代えて、キーの図柄の明度を低減して表示、キーの図柄を色反転させて表示またはキーの図柄をグレースケールで表示するように、図柄の表示方法を変えてもよい。
【０１３２】
この場合、第１実施例で説明したように、図柄の表示方法を変えるのみならず、キーの大きさを相対的に変化させるようにしてもよい。
【０１３３】
また、第２実施例では、白黒専用の機能の設定またはカラー専用の機能の設定が変更された場合に、設定が変更された１つの機能の文字を空白領域に表示するようにしたが、機能は白黒専用の機能およびカラー専用の機能に限定される必要は無く、また、設定が変更された機能を表示する数も限定される必要はない。つまり、設定が変更された１または２以上の機能についての文字が空白領域に表示される。
【０１３４】
さらに、第２実施例では、白黒専用の機能の設定またはカラー専用の機能の設定が変更された場合に、設定が変更された機能の文字を空白領域に表示するようにしたが、これに限定される必要はない。設定が変更された機能の文字に変えて、設定が変更された機能についてのアイコン（画像）を空白領域に表示するようにしてもよい。
【０１３５】
なお、上述の各実施例では、制御装置の一例として、第１の動作として白黒コピー（またはカラーコピー）を実行し、第２の動作としてカラーコピー（または白黒コピー）を実行する画像形成装置１０について説明したが、これに限定される必要はない。一方の動作専用の機能についての設定が変更された場合に、他方の動作が実行されると、変更された設定の内容が動作に反映されない他の制御装置にも本願発明を適用可能である。
【０１３６】
なお、上述の実施例で挙げた数値、画面および具体的な構成等は一例であり、実際の製品に応じて適宜変更することが可能である。また、上述の実施例で示したフロー図の各ステップは、同じ結果が得られるのであれば、処理される順番は適宜変更することが可能である。
【符号の説明】
【０１３７】
１０  …画像形成装置
１２  …ＣＰＵ
１４  …ＲＡＭ
２０  …タッチパネル
２２  …ディスプレイ
２８  …ＨＤＤ
３０  …画像読取部
３２  …画像形成部
【図１】
2019166723.tif 000003
【図２】
2019166723.tif 000004
【図３】
2019166723.tif 000005
【図４】
2019166723.tif 000006
【図５】
2019166723.tif 000007
【図６】
2019166723.tif 000008
【図７】
2019166723.tif 000009
【図８】
2019166723.tif 000010
【図９】
2019166723.tif 000011
【図１０】
2019166723.tif 000012
【図１１】
2019166723.tif 000013
【図１２】
2019166723.tif 000014
【図１３】
2019166723.tif 000015
【図１４】
2019166723.tif 000016
【図１５】
2019166723.tif 000017